(57)【特許請求の範囲】
【請求項１】
台船を利用して海底に生育しているアマモ類を採取し、移植地に移植する移植方法において、
採取用バケットで、海底に生育しているアマモ類を、底質条件を保持したまま、アマモ類の根長程度以上底土ごとまとめて採取し、
採取したアマモ類を採取用バケットから底土ごと天然材料からなる箱状の移植補助材に収納し、
アマモ類を収納した移植補助材を移植地の海上に運搬し、
アマモ類を収納した移植補助材を補強材に収納し、海底に吊り下げ、アマモ類を移植補助材ごと補強材から移植地に移すことを特徴とする、
アマモ類の移植方法。
【発明の詳細な説明】
【０００１】
【発明の属する技術分野】
本発明は、アマモ類の移植に関するものである。
【０００２】
【従来の技術】
従来、アマモ類の移植方法として、アマモ類の播種からアマモ類を成長させるもの、また、潜水士が手作業で採取したアマモ類の根茎を粘土で包み、移植地の海水中に人が潜水し、移植するもの、また、同様にアマモ類の根茎を粘土で包み、移植地の海水中に沈降させて海底に着底させるもの（特開平５−５６７２６号公報参照）などがある。
【０００３】
しかし、播種から成長させる方法は、成長に時間がかかり、成長する前に移植地の環境が変化するなどして移植の成功率が良くない。
【０００４】
また、潜水士が手作業で採取したアマモ類の根茎を粘土で包み、移植地の海水中に人が潜水し移植する方法は、アマモ類の採取、移植ともに手作業で行うため、成功率が良いが、採取、移植に時間がかかり、作業効率が良くない。
【０００５】
また、潜水士が手作業で採取したアマモ類の根茎を粘土で包み、移植地の海水中に沈降させて海底に着底させる方法は、アマモ類を海水中に投棄する単純作業であるため、作業効率は良いが、海水中に投棄後はアマモ類の根が海底上に露出した状態であるため、成功率が良くない。
【０００６】
また、潜水士が手作業で採取したアマモ類の根茎を粘土で包む移植方法は、アマモ類の根茎を直接海底に移植するため、現状でアマモ類が生育していない場所へ確実に移植を行うためには、例えば移植地にアマモ類の生育条件に適した浅場を造成するなどの底質改善を含む基盤整備が必要となり、移植コストが割高となる。
【０００７】
【発明が解決しようとする課題】
本発明は、アマモ類の移植を効率よく、かつ確実で容易に行える方法を提供することにある。
【０００８】
【課題を解決するための手段】
本発明は、台船を利用して海底に生育しているアマモ類を採取し、移植地に移植する移植方法において、採取用バケットで、海底に生育しているアマモ類を、底質条件を保持したまま、アマモ類の根長程度以上底土ごとまとめて採取し、採取したアマモ類を採取用バケットから底土ごと天然材料からなる箱状の移植補助材に収納し、アマモ類を収納した移植補助材を移植地の海上に運搬し、アマモ類を収納した移植補助材を補強材に収納し、海底に吊り下げ、アマモ類を移植補助材ごと補強材から移植地に移すことを特徴とする、アマモ類の移植方法にある。
【００１１】
【発明の実施の形態】
以下、本発明の実施の形態を説明する。
＜イ＞アマモ類の生育条件
アマモ類の一般的な生育条件は、底質条件、光条件、外力条件などが挙げられ、底質条件では、シルト以下の細粒分が約３０％以下であり、光条件では、相対照度が海面上の１０％〜５０％であり、外力条件では、流速が約１３ｃｍ／ｓ以下、波高が約１ｍ以下、砂面変動が約５ｃｍ／月以下である。
【００１２】
＜ロ＞アマモ類の移植方法の概要
生育しているアマモ類を底土ごと採取し、底土が崩れないように移植補助材２０に入れて、海上を移植地まで運搬し、アマモ類を底土ごと収納した移植補助材２０をそのまま移植する。このように、アマモ類を底土ごと移植補助材２０に収納し、移植補助材２０ごと移植するため、移植地の底質改善が不要である。また、アマモ類を底土ごと移植することで、現状の底質条件を保持でき、移植の成功率が高くなる。
【００１３】
＜ハ＞採取方法
アマモ類の根長は、最長で地下約３０ｃｍまで達するため、根長程度以上の３０ｃｍ〜５０ｃｍの底土ごと採取する必要がある。なお、採取すべきアマモ類の生育する場所の状況に応じて底土の採取量を変更することはありうる。
【００１４】
３０ｃｍ〜５０ｃｍの底土を採取し、移植する際に、底質条件を除くアマモ類の生育条件に適した移植地を選定、あるいはアマモ類を底土ごと収納した移植補助材２０が設置できる程度に移植地を整備し、アマモ類の生育条件を保持する。
【００１５】
クレーン付台船１０を採取するアマモ場の海面上に停止し、採取用バケット２１をクレーン１１で海底に移動し、アマモ類を底土ごと採取する。底土ごと採取したアマモ類をクレーン付台船１０上又は移送専用の台船１２上の移植補助材２０に移す。
【００１６】
採取用バケットは現状の底質条件を保持したまま採取でき、かつ深度３０ｃｍ〜５０ｃｍの底土を容易に採取できる構造にする。
【００１７】
＜ニ＞移植補助材
移植補助材２０は、採取したアマモ類の底土が台船上で崩れて流出するのを防止し、更に移植作業の手間を省くもので、例えば箱状に形成する。環境への影響の面からヤシ繊維不織布などの天然材料が移植補助材２０に適している。例えばヤシ繊維不織布を用いた移植補助材２０は、移植後の強度を保つために厚さを５０ｍｍとする。天然材料は、ヤシ繊維の他に、例えば、ダンボールなどを加工した強固な紙類材料、また藁を加工したござなどの植物繊維材料が適している。
【００１８】
＜ホ＞運搬方法
アマモ類を底土ごと収納した移植補助材２０は、移植地の海上に運搬する。運搬方法は、図１乃至図２のようにクレーン付台船１０をアマモ類の採取と運搬の両方に利用する。
【００１９】
又は、移植地がアマモ類の採取地と遠距離である場合、図３乃至図５のようにクレーン付台船１０でアマモ類を採取し、移送専用の移送台船１２にアマモ類を載置し、移植地に運搬する。この場合、移植用のクレーン付台船１０が更に別に必要であるが、採取用のクレーン付台船１０は絶えずアマモ類を採取でき、また、移植用のクレーン付台船１０も絶えずアマモ類を移植できるため、移植作業を効率良く行うことができる。
【００２０】
さらに、移送専用の台船を複数配置すれば、採取地と移植地間の運搬を交互に行えるため、より移植作業全体の効率を高めることができる。
【００２１】
＜ヘ＞海底設置方法
アマモ類を底土ごと収納した移植補助材２０は、図２及び図５のように、そのまま移植地に設置される。設置後、アマモ類が底土から脱落したものなど不具合のあるものは、潜水士により整形すると、移植がより確実に行われる。
【００２２】
アマモ類を海底設置する作業において、移植補助材２０を保護するために補強材２２を利用する。補強材２２は、例えば鋼材による箱型構造とし、この中に移植補助材２０を収納し、クレーン１１で海底の設置場所に吊り下げられる。例えば、図６のように、クレーン１１で海底に吊り下ろされた後、図７のように補強材２２の側板を一時的に取りはずし、図８のようにアマモ類を移植補助材２０ごと補強材２２から移植地に移す。移植終了後も、補強材２２は再利用される。
【００２３】
【発明の効果】
本発明は、次のような効果を得ることができる。
＜イ＞移植補助材を使用することにより、底土ごとアマモ類を移植できるため、現状でアマモ類が生育している底質条件を保持することが可能となり、移植の成功率を高めることができる。
＜ロ＞アマモ類の生育条件に不適当な場所でも、移植補助材を使用することにより、底土ごとアマモ類を移植できるため、移植地の底質改善が不要となり、経済的かつ効率的である。
＜ハ＞アマモ類の採取にバケットを使用し、バケットで採取したアマモ類をそのまま移植するため、一度に大量のアマモ類を採取、移植でき、作業時間の短縮が図れる。
＜ニ＞移植補助材を使用することにより、アマモ類の生育している底土が崩れ、流出することを防止でき、移植作業の確実性を高めることができる。
＜ホ＞移植補助材にヤシ繊維不織布などの天然材料を使用することにより、移植後自然に分解するため、環境に及ぼす影響が小さい。
【図面の簡単な説明】
【図１】クレーン付台船によるアマモ類の採取説明図
【図２】クレーン付台船によるアマモ類の海底設置説明図
【図３】移送台船とクレーン付台船によるアマモ類の採取説明図
【図４】移送台船によるアマモ類の運搬説明図
【図５】移送台船とクレーン付台船によるアマモ類の海底設置説明図
【図６】補強材を使用したアマモ類の海底設置説明図
【図７】補強材の側板を外した説明図
【図８】補強材からアマモ類を取り出す説明図
【図１】
0003769066.tif 000002
【図２】
0003769066.tif 000003
【図３】
0003769066.tif 000004
【図４】
0003769066.tif 000005
【図５】
0003769066.tif 000006
【図６】
0003769066.tif 000007
【図７】
0003769066.tif 000008
【図８】
0003769066.tif 000009